【手続補正書】
【提出日】平成19年9月26日(2007.9.26)
【手続補正１】
【補正対象書類名】明細書
【補正対象項目名】特許請求の範囲
【補正方法】変更
【補正の内容】
【特許請求の範囲】
【請求項１】  一般式：
【化１】
2002097273.tif 000001
｛式中、Ｒ1は同じか、または異なる水素原子もしくはアルキル基であり、Ｒ2は同じか、または異なる水素原子、アルキル基、アルケニルオキシアルキル基、アシロキシアルキル基、一般式：
−Ｒ4−Ｓi(ＯＲ5)xＲ6(3-x)
（式中、Ｒ4はアルキレン基またはアルキレンオキシアルキレン基であり、Ｒ5はアルキル基であり、Ｒ6は非置換もしくはハロゲン置換の一価炭化水素基であり、ｘは１〜３の整数である。）
で表される基、アルキレン基、およびアルキレンオキシアルキレン基からなる群より選択される基であり、Ｒ3は非置換もしくはハロゲン置換の一価炭化水素基、アルコキシ基、グリシドキシアルキル基、オキシラニルアルキル基、アシロキシアルキル基、アミノアルキル基、アルキレン基、およびアルキレンオキシアルキレン基からなる群より選択される基であり、但し、式中のＲ2およびＲ3の少なくとも一つはアルキレン基またはアルキレンオキシアルキレン基である。｝
で表されるシラトラン残基を前記Ｒ2および／または前記Ｒ3のアルキレン基もしくはアルキレンオキシアルキレン基を介して分子中のケイ素原子に結合しているオルガノポリシロキサン。
【請求項２】  オルガノポリシロキサンが、分子中のケイ素原子に、アミノ基、カルボキシル基、カルビノール基、フェノール基、エポキシ基、およびポリオキシアルキレン基からなる群より選択される少なくとも一種の基を含有するアルキル基またはアルキルオキシアルキル基を結合していることを特徴とする、請求項１記載のオルガノポリシロキサン。
【請求項３】  (Ａ)一般式：
ＮＨy(ＣＲ12ＣＲ12ＯＨ)(3-y)
（式中、Ｒ1は同じか、または異なる水素原子もしくはアルキル基であり、ｙは１〜３の整数である。）
で表されるアンモニアまたはアミン化合物、(Ｂ)分子中のケイ素原子に、エポキシ基を含有するアルキル基またはアルキルオキシアルキル基を結合しているオルガノポリシロキサン、(Ｃ)一般式：
Ｒ7Ｓi(ＯＲ8)3
（式中、Ｒ7は非置換もしくはハロゲン置換の一価炭化水素基、アルコキシ基、グリシドキシアルキル基、オキシラニルアルキル基、アシロキシアルキル基、およびアミノアルキル基からなる群より選択される基であり、Ｒ8はアルキル基である。）
で表されるアルコキシシラン、および必要に応じて、(Ｄ)一般式：
【化２】
2002097273.tif 000002
｛式中、Ｒ1は同じか、または異なる水素原子もしくはアルキル基であり、Ｒ9は水素原子、アルキル基、アルケニルオキシアルキル基、アシロキシアルキル基、および一般式：
−Ｒ4−Ｓi(ＯＲ5)xＲ6(3-x)
（式中、Ｒ4はアルキレン基またはアルキレンオキシアルキレン基であり、Ｒ5はアルキル基であり、Ｒ6は非置換もしくはハロゲン置換の一価炭化水素基であり、ｘは１〜３の整数である。）
で表される基からなる群より選択される基である。｝
で表されるエポキシ化合物を反応させることを特徴とする、請求項１記載のオルガノポリシロキサンの製造方法。
【請求項４】  アルコールの存在下で反応させることを特徴とする、請求項３記載のオルガノポリシロキサンの製造方法。
【請求項５】  (Ｅ)一般式：
ＮＨz(ＣＲ12ＣＲ12ＯＨ)(3-z)
（式中、Ｒ1は同じか、または異なる水素原子もしくはアルキル基であり、ｚは０〜３の整数である。）
で表されるアンモニアまたはアミン化合物、(Ｆ)分子中のケイ素原子に、トリアルコキシシリル基を含有するアルキル基またはアルキルオキシアルキル基を結合しているオルガノポリシロキサン、および必要に応じて、(Ｄ)一般式：
【化３】
2002097273.tif 000003
｛式中、Ｒ1は同じか、または異なる水素原子もしくはアルキル基であり、Ｒ9は水素原子、アルキル基、アルケニルオキシアルキル基、アシロキシアルキル基、および一般式：
−Ｒ4−Ｓi(ＯＲ5)xＲ6(3-x)
（式中、Ｒ4はアルキレン基またはアルキレンオキシアルキレン基であり、Ｒ5はアルキル基であり、Ｒ6は非置換もしくはハロゲン置換の一価炭化水素基であり、ｘは１〜３の整数である。）
で表される基からなる群より選択される基である。｝
で表されるエポキシ化合物を反応させることを特徴とする、請求項１記載のオルガノポリシロキサンの製造方法。
【請求項６】  アルコールの存在下で反応させることを特徴とする、請求項５記載のオルガノポリシロキサンの製造方法。
【請求項７】  (Ｇ)一分子中に少なくとも１個のケイ素原子結合水素原子を有するオルガノポリシロキサン、(Ｈ)一般式：
【化４】
2002097273.tif 000004
｛式中、Ｒ1は同じか、または異なる水素原子もしくはアルキル基であり、Ｒ10は同じか、または異なる水素原子、アルキル基、アシロキシアルキル基、一般式：
−Ｒ4−Ｓi(ＯＲ5)xＲ6(3-x)
（式中、Ｒ4はアルキレン基またはアルキレンオキシアルキレン基であり、Ｒ5はアルキル基であり、Ｒ6は非置換もしくはハロゲン置換の一価炭化水素基であり、ｘは１〜３の整数である。）
で表される基、アルケニル基、およびアルケニルオキシアルキル基からなる群より選択される基であり、Ｒ11はアルキル基、アリール基、アルコキシ基、グリシドキシアルキル基、オキシラニルアルキル基、アシロキシアルキル基、アミノアルキル基、アルケニル基、およびアルケニルオキシアルキル基からなる群より選択される基であり、但し、式中のＲ10およびＲ11の少なくとも一つはアルケニル基またはアルケニルオキシアルキル基である。｝
で表されるシラトラン誘導体、および必要に応じて(Ｉ)アミノ基、カルボキシル基、カルビノール基、フェノール基、エポキシ基、およびポリオキシアルキレン基からなる群より選択される少なくとも一種の基と脂肪族不飽和結合を有する有機化合物をヒドロシリル化反応用触媒で付加反応させることを特徴とする、請求項１記載のオルガノポリシロキサンの製造方法。
【手続補正２】
【補正対象書類名】明細書
【補正対象項目名】０００３
【補正方法】変更
【補正の内容】
【０００３】
【発明が解決しようとする課題】
本発明の目的は、ケイ素原子に結合したシラトラン残基を有する新規なオルガノポリシロキサン、およびこのようなオルガノポリシロキサンを効率よく製造する方法を提供することにある。さらに、本発明の目的は、ケイ素原子に結合したシラトラン残基、およびアミノ基、カルボキシル基、カルビノール基、フェノール基、エポキシ基、およびポリオキシアルキレン基からなる群より選択される少なくとも一種の基を有する新規なオルガノポリシロキサン、およびこのようなオルガノポリシロキサンを効率よく製造する方法を提供することにある。
【手続補正３】
【補正対象書類名】明細書
【補正対象項目名】０００４
【補正方法】変更
【補正の内容】
【０００４】
【課題を解決するための手段】
請求項１、２に係る発明のオルガノポリシロキサンは、一般式：
【化５】
2002097273.tif 000005
｛式中、Ｒ1は同じか、または異なる水素原子もしくはアルキル基であり、Ｒ2は同じか、または異なる水素原子、アルキル基、アルケニルオキシアルキル基、アシロキシアルキル基、一般式：
−Ｒ4−Ｓi(ＯＲ5)xＲ6(3-x)
（式中、Ｒ4はアルキレン基またはアルキレンオキシアルキレン基であり、Ｒ5はアルキル基であり、Ｒ6は非置換もしくはハロゲン置換の一価炭化水素基であり、ｘは１〜３の整数である。）
で表される基、アルキレン基、およびアルキレンオキシアルキレン基からなる群より選択される基であり、Ｒ3は非置換もしくはハロゲン置換の一価炭化水素基、アルコキシ基、グリシドキシアルキル基、オキシラニルアルキル基、アシロキシアルキル基、アミノアルキル基、アルキレン基、およびアルキレンオキシアルキレン基からなる群より選択される基であり、但し、式中のＲ2およびＲ3の少なくとも一つはアルキレン基またはアルキレンオキシアルキレン基である。｝
で表されるシラトラン残基を前記Ｒ2および／または前記Ｒ3のアルキレン基もしくはアルキレンオキシアルキレン基を介して分子中のケイ素原子に結合していることを特徴とする。
【手続補正４】
【補正対象書類名】明細書
【補正対象項目名】０００５
【補正方法】変更
【補正の内容】
【０００５】
また、請求項３、４に係る発明のオルガノポリシロキサンの製造方法は、(Ａ)一般式：
ＮＨy(ＣＲ12ＣＲ12ＯＨ)(3-y)
（式中、Ｒ1は同じか、または異なる水素原子もしくはアルキル基であり、ｙは１〜３の整数である。）
で表されるアンモニアまたはアミン化合物、(Ｂ)分子中のケイ素原子に、エポキシ基を含有するアルキル基またはアルキルオキシアルキル基を結合しているオルガノポリシロキサン、(Ｃ)一般式：
Ｒ7Ｓi(ＯＲ8)3
（式中、Ｒ7は非置換もしくはハロゲン置換の一価炭化水素基、アルコキシ基、グリシドキシアルキル基、オキシラニルアルキル基、アシロキシアルキル基、およびアミノアルキル基からなる群より選択される基であり、Ｒ8はアルキル基である。）
で表されるアルコキシシラン、および必要に応じて、(Ｄ)一般式：
【化６】
2002097273.tif 000006
｛式中、Ｒ1は同じか、または異なる水素原子もしくはアルキル基であり、Ｒ9は水素原子、アルキル基、アルケニルオキシアルキル基、アシロキシアルキル基、および一般式：
−Ｒ4−Ｓi(ＯＲ5)xＲ6(3-x)
（式中、Ｒ4はアルキレン基またはアルキレンオキシアルキレン基であり、Ｒ5はアルキル基であり、Ｒ6は非置換もしくはハロゲン置換の一価炭化水素基であり、ｘは１〜３の整数である。）
で表される基からなる群より選択される基である。｝
で表されるエポキシ化合物を反応させることを特徴とする。
【手続補正５】
【補正対象書類名】明細書
【補正対象項目名】０００６
【補正方法】変更
【補正の内容】
【０００６】
また、請求項５、６に係る発明のオルガノポリシロキサンの製造方法は、(Ｅ)一般式：
ＮＨz(ＣＲ12ＣＲ12ＯＨ)(3-z)
（式中、Ｒ1は同じか、または異なる水素原子もしくはアルキル基であり、ｚは０〜３の整数である。）
で表されるアンモニアまたはアミン化合物、(Ｆ)分子中のケイ素原子に、トリアルコキシシリル基を含有するアルキル基またはアルキルオキシアルキル基を結合しているオルガノポリシロキサン、および必要に応じて、(Ｄ)一般式：
【化７】
2002097273.tif 000007
｛式中、Ｒ1は同じか、または異なる水素原子もしくはアルキル基であり、Ｒ9は水素原子、アルキル基、アルケニルオキシアルキル基、アシロキシアルキル基、および一般式：
−Ｒ4−Ｓi(ＯＲ5)xＲ6(3-x)
（式中、Ｒ4はアルキレン基またはアルキレンオキシアルキレン基であり、Ｒ5はアルキル基であり、Ｒ6は非置換もしくはハロゲン置換の一価炭化水素基であり、ｘは１〜３の整数である。）
で表される基からなる群より選択される基である。｝
で表されるエポキシ化合物を反応させることを特徴とする。
【手続補正６】
【補正対象書類名】明細書
【補正対象項目名】０００７
【補正方法】変更
【補正の内容】
【０００７】
また、請求項７に係る発明のオルガノポリシロキサンの製造方法は、(Ｇ)一分子中に少なくとも１個のケイ素原子結合水素原子を有するオルガノポリシロキサン、(Ｈ)一般式：
【化８】
2002097273.tif 000008
｛式中、Ｒ1は同じか、または異なる水素原子もしくはアルキル基であり、Ｒ10は同じか、または異なる水素原子、アルキル基、アシロキシアルキル基、一般式：
−Ｒ4−Ｓi(ＯＲ5)xＲ6(3-x)
（式中、Ｒ4はアルキレン基またはアルキレンオキシアルキレン基であり、Ｒ5はアルキル基であり、Ｒ6は非置換もしくはハロゲン置換の一価炭化水素基であり、ｘは１〜３の整数である。）
で表される基、アルケニル基、およびアルケニルオキシアルキル基からなる群より選択される基であり、Ｒ11はアルキル基、アリール基、アルコキシ基、グリシドキシアルキル基、オキシラニルアルキル基、アシロキシアルキル基、アミノアルキル基、アルケニル基、およびアルケニルオキシアルキル基からなる群より選択される基であり、但し、式中のＲ10およびＲ11の少なくとも一つはアルケニル基またはアルケニルオキシアルキル基である。｝
で表されるシラトラン誘導体、および必要に応じて(Ｉ)アミノ基、カルボキシル基、カルビノール基、フェノール基、エポキシ基、およびポリオキシアルキレン基からなる群より選択される少なくとも一種の基と脂肪族不飽和結合を有する有機化合物をヒドロシリル化反応用触媒で付加反応させることを特徴とする。
【手続補正７】
【補正対象書類名】明細書
【補正対象項目名】００１２
【補正方法】変更
【補正の内容】
【００１２】
次に、請求項３、４に係る発明のオルガノポリシロキサンの製造方法を詳細に説明する。
このオルガノポリシロキサンの製造方法は、(Ａ)一般式：
ＮＨy(ＣＲ12ＣＲ12ＯＨ)(3-y)
（式中、Ｒ1は同じか、または異なる水素原子もしくはアルキル基であり、ｙは１〜３の整数である。）
で表されるアンモニアまたはアミン化合物、(Ｂ)分子中のケイ素原子に、エポキシ基を含有するアルキル基またはアルキルオキシアルキル基を結合しているオルガノポリシロキサン、(Ｃ)一般式：
Ｒ7Ｓi(ＯＲ8)3
（式中、Ｒ7は非置換もしくはハロゲン置換の一価炭化水素基、アルコキシ基、グリシドキシアルキル基、オキシラニルアルキル基、アシロキシアルキル基、およびアミノアルキル基からなる群より選択される基であり、Ｒ8はアルキル基である。）
で表されるアルコキシシラン、および必要に応じて、(Ｄ)一般式：
【化３０】
2002097273.tif 000009
｛式中、Ｒ1は同じか、または異なる水素原子もしくはアルキル基であり、Ｒ9は水素原子、アルキル基、アルケニルオキシアルキル基、アシロキシアルキル基、および一般式：
−Ｒ4−Ｓi(ＯＲ5)xＲ6(3-x)
（式中、Ｒ4はアルキレン基またはアルキレンオキシアルキレン基であり、Ｒ5はアルキル基であり、Ｒ6は非置換もしくはハロゲン置換の一価炭化水素基であり、ｘは１〜３の整数である。）
で表される基からなる群より選択される基である。｝
で表されるエポキシ化合物を反応させることを特徴とする。
【手続補正８】
【補正対象書類名】明細書
【補正対象項目名】００２２
【補正方法】変更
【補正の内容】
【００２２】
次に、請求項５、６に係る発明のオルガノポリシロキサンの製造方法を詳細に説明する。
この製造方法は、(Ｅ)一般式：
ＮＨz(ＣＲ12ＣＲ12ＯＨ)(3-z)
（式中、Ｒ1は同じか、または異なる水素原子もしくはアルキル基であり、ｚは０〜３の整数である。）
で表されるアンモニアまたはアミン化合物、(Ｆ)分子中のケイ素原子に、トリアルコキシシリル基を含有するアルキル基またはアルキルオキシアルキル基を結合しているオルガノポリシロキサン、および必要に応じて、(Ｄ)一般式：
【化３８】
2002097273.tif 000010
｛式中、Ｒ1は同じか、または異なる水素原子もしくはアルキル基であり、Ｒ9は水素原子、アルキル基、アルケニルオキシアルキル基、アシロキシアルキル基、および一般式：
−Ｒ4−Ｓi(ＯＲ5)xＲ6(3-x)
（式中、Ｒ4はアルキレン基またはアルキレンオキシアルキレン基であり、Ｒ5はアルキル基であり、Ｒ6は非置換もしくはハロゲン置換の一価炭化水素基であり、ｘは１〜３の整数である。）
で表される基からなる群より選択される基である。｝
で表されるエポキシ化合物を反応させることを特徴とする。
【手続補正９】
【補正対象書類名】明細書
【補正対象項目名】００２９
【補正方法】変更
【補正の内容】
【００２９】
次に、請求項７に係る発明のオルガノポリシロキサンの製造方法を詳細に説明する。
この製造方法は、(Ｇ)一分子中に少なくとも１個のケイ素原子結合水素原子を有するオルガノポリシロキサン、(Ｈ)一般式：
【化４６】
2002097273.tif 000011
｛式中、Ｒ1は同じか、または異なる水素原子もしくはアルキル基であり、Ｒ10は同じか、または異なる水素原子、アルキル基、アシロキシアルキル基、一般式：
−Ｒ4−Ｓi(ＯＲ5)xＲ6(3-x)
（式中、Ｒ4はアルキレン基またはアルキレンオキシアルキレン基であり、Ｒ5はアルキル基であり、Ｒ6は非置換もしくはハロゲン置換の一価炭化水素基であり、ｘは１〜３の整数である。）
で表される基、アルケニル基、およびアルケニルオキシアルキル基からなる群より選択される基であり、Ｒ11はアルキル基、アリール基、アルコキシ基、グリシドキシアルキル基、オキシラニルアルキル基、アシロキシアルキル基、アミノアルキル基、アルケニル基、およびアルケニルオキシアルキル基からなる群より選択される基であり、但し、式中のＲ10およびＲ11の少なくとも一つはアルケニル基またはアルケニルオキシアルキル基である。｝
で表されるシラトラン誘導体、および必要に応じて(Ｉ)アミノ基、カルボキシル基、カルビノール基、フェノール基、エポキシ基、およびポリオキシアルキレン基からなる群より選択される少なくとも一種の基と脂肪族不飽和結合を有する有機化合物をヒドロシリル化反応用触媒で付加反応することを特徴とする。